(57)【要約】【課題】フレームに設けた水路から製氷皿へ供給される水が製氷皿からこぼれることを抑制すること。【解決手段】製氷機１は、給水パイプ２からの水が、フレーム７に設けられた通水口６４を通過して、製氷皿５から外側に突出する水受け部２６に注がれる。フレーム７には、軸線Ｌ方向と交差する第１水路部分６１が設けられ、通水口６４は、第１水路部分６１の製氷皿５側の側面６１ｂに設けられている。また、フレーム７には、通水口６４の上流側であって、且つ、通水口６４が設けられた側面６１ｂに沿う位置に、遮水部として機能する凸部５８が設けられている。これにより、通水口６４の開口方向と異なる方向に流れる水が通水口６４へ到達することを防止あるいは抑制できる。【選択図】図８
2020046151.tif 000002
【特許請求の範囲】
【請求項１】
給水パイプから供給される水を貯留する貯水用凹部を備える製氷皿と、
前記製氷皿を通過する軸線回りにおいて、前記製氷皿を、前記貯水用凹部が上を向く貯水位置と当該貯水用凹部が下を向く氷離脱位置との間で反転させる駆動部と、
前記製氷皿および前記駆動部を支持するフレームと、を有し、
前記製氷皿は、前記貯水位置から前記氷離脱位置へ向かう第１回転方向への回転開始時に下方に移動する製氷皿部分に外側に突出する水受け部を備え、前記水受け部は前記貯水用凹部に連通し、
前記フレームは、前記水受け部の上方に位置するフレーム部分を備え、
前記フレーム部分は、その上面において前記軸線と交差する方向に延在する水路と、少なくとも一部が前記水路の側面に設けられた通水口と、前記通水口に対して前記水路の上流側であって、且つ、前記側面に沿う位置に設けられた遮水部と、を備え、
前記通水口は、前記製氷皿が前記貯水位置にある状態を上下方向から見たときに前記水受け部と重なる位置に前記水を通過させ、
前記給水パイプからの水は、前記通水口を通過して前記水受け部に注がれて前記貯水用凹部に流入することを特徴とする製氷機。
【請求項２】
前記遮水部は、前記側面から前記水路の内側へ向かって突出する凸部であることを特徴とする請求項１に記載の製氷機。
【請求項３】
前記凸部は、前記通水口の開口縁に設けられていることを特徴とする請求項２に記載の製氷機。
【請求項４】
前記凸部は、前記通水口が位置する側を向く第１面と、前記通水口が位置する側とは反対側を向く第２面を備え、
前記第１面は、前記通水口の開口縁に接続され前記側面に対して略垂直であり、
前記第２面は、前記側面に対して鈍角をなす傾斜面であることを特徴とする請求項３に記載の製氷機。
【請求項５】
前記水路は、前記通水口に対して前記遮水部とは反対側へ拡がる緩衝領域を備えることを特徴とする請求項１から４の何れか一項に記載の製氷機。
【請求項６】
前記水路の底面は、前記通水口へ向かうに従って下降する傾斜面を備えることを特徴とする請求項１から５の何れか一項に記載の製氷機。
【請求項７】
前記フレーム部分は、前記通水口の開口縁から前記水路の外側へ突出するガイド板を備えることを特徴とする請求項１から６のうちの何れか一項に記載の製氷機。
【請求項８】
前記ガイド板は、前記通水口に対して前記遮水部とは反対側に位置することを特徴とする請求項７に記載の製氷機。
【請求項９】
前記ガイド板は、前記通水口に対して前記遮水部とは反対側に位置する第１ガイド板と、前記通水口に対して前記遮水部と同じ側に位置する第２ガイド板と、を備え、
前記第１ガイド板は、前記第２ガイド板より前記開口縁からの突出寸法が大きいことを特徴とする請求項８に記載の製氷機。
【請求項１０】
前記通水口は、前記水路の底面に設けられた第１通水口部分と、前記側面に設けられ前記第１通水口部分と繋がる第２通水口部分と、を備え、
前記ガイド板は、前記第２通水口部分の開口縁に沿って上下方向に延びており、且つ、
前記第１通水口部分の開口縁から下方に突出して当該通水口を通過する水を前記水受け部に案内する案内板と繋がっていることを特徴とする請求項７から９のうちの何れか一項に記載の製氷機。
【請求項１１】
前記製氷皿は、当該製氷皿を前記貯水位置に配置したときに、前記貯水用凹部の開口を囲んで上方に延びる周壁部と、前記周壁部の周方向の一部分に設けた切欠き部と、を備え、
前記水受け部は、前記製氷皿を前記貯水位置に配置したときに、前記周壁部における前記切欠き部の下側の縁部分から外側に突出して前記フレーム部分と対向する底部と、前記壁部の周方向における前記切欠き部の一方側の縁部分および他方側の縁部分からそれぞれ外側に突出して下端が前記底部に連続する一対の側板部と、前記底部の先端部分および前記一対の側板部の先端部分を連続させる端板部と、を備え、
前記製氷皿を前記貯水位置に配置したときに、前記案内板の下端は前記一対の側板部の上端よりも下方に位置することを特徴とする請求項１０に記載の製氷機。
【請求項１２】
前記駆動部は、前記製氷皿の前記軸線方向の一方側に連結されており、
前記水受け部は、前記製氷皿部分における前記軸線方向の他方側の部分から外側に突出することを特徴とする請求項１から１１の何れか一項に記載の製氷機。
【請求項１３】
前記製氷皿は、可撓性材料からなり、
前記フレームは、前記製氷皿が前記第１回転方向に回転して前記氷離脱位置に達したときに当該第１回転方向の前方から前記水受け部に当接して当該第１回転方向に駆動されている前記製氷皿の回転を阻止する当接部を備えることを特徴とする請求項１２に記載の製氷機。
【発明の詳細な説明】
【技術分野】
【０００１】
本発明は、給水パイプから供給される水を製氷皿に貯留して製氷する製氷機に関する。
【背景技術】
【０００２】
冷蔵庫に搭載される製氷機は特許文献１に記載されている。同文献の製氷機は、貯水用凹部を備える製氷皿と、製氷皿を通過する軸線回りに当該製氷皿を反転させる駆動部と、製氷皿および駆動部を支持するフレームと、を有する。製氷機は、給水パイプから供給される水を貯水用凹部に充填して製氷を行う。また、製氷機は、製氷が完了すると、駆動部によって製氷皿を反転させるとともに、製氷皿の一部分をフレームに当接させて製氷皿を捻る。これにより、氷を製氷皿から離脱させて、下方に配置した貯氷容器へ落下させる。同文献では、給水パイプの給水口は、製氷皿の上方に位置しており、水は製氷皿に直接注がれている。
【先行技術文献】
【特許文献】
【０００３】
【特許文献１】特開２０１２−２０７８２４号公報
【発明の概要】
【発明が解決しようとする課題】
【０００４】
製氷皿を反転（回転）させて氷を製氷皿から離氷させる際に、製氷皿と給水パイプとを干渉させないようにするため、給水パイプの水を直接製氷皿へ供給せずに、製氷皿を支持するフレームに設けた水路を経由して製氷皿へ水を供給する製氷機が提案されている。この種の製氷機は、フレームに水路と連通する通水口を設けて、水路を流れる水を通水口から製氷皿の水受け部に注ぐ構造になっている。しかしながら、水路の上流側から下流側へ向かう方向と交差する方向に通水口が開口している場合には、通水口から通水口の下側とは異なる方向へ水が飛び出し、水受け部の外側へ水がこぼれてしまうという問題がある。
【０００５】
以上の問題点に鑑みて、本発明の課題は、フレームに設けた水路から製氷皿へ供給される水が製氷皿からこぼれることを抑制することにある。
【課題を解決するための手段】
【０００６】
上記課題を解決するため、本発明に係る製氷機は、給水パイプから供給される水を貯留する貯水用凹部を備える製氷皿と、前記製氷皿を通過する軸線回りにおいて、前記製氷皿を、前記貯水用凹部が上を向く貯水位置と当該貯水用凹部が下を向く氷離脱位置との間で反転させる駆動部と、前記製氷皿および前記駆動部を支持するフレームと、を有し、前記製氷皿は、前記貯水位置から前記氷離脱位置へ向かう第１回転方向への回転開始時に下方に移動する製氷皿部分に外側に突出する水受け部を備え、前記水受け部は前記貯水用凹部に連通し、前記フレームは、前記水受け部の上方に位置するフレーム部分を備え、前記フレーム部分は、その上面において前記軸線と交差する方向に延在する水路と、少なくとも一部が前記水路の側面に設けられた通水口と、前記通水口に対して前記水路の上流側であって、且つ、前記側面に沿う位置に設けられた遮水部と、を備え、前記通水口は、前記製氷皿が前記貯水位置にある状態を上下方向から見たときに前記水受け部と重なる位置に前記水を通過させ、前記給水パイプからの水は、前記通水口を通過して前記水受け部に注がれて前記貯水用凹部に流入することを特徴とする。
【０００７】
本発明では、給水パイプからの水は、フレームに設けられた水路へ注がれ、水路の側面に設けられた通水口を通過して、製氷皿から外側に突出する水受け部に注がれて貯水用凹
部に流入する。従って、給水パイプの給水口を製氷皿の外側に位置させることができ、製氷皿と給水パイプとを干渉させないようにすることができる。また、通水口は水路の側面に設けられ、フレームには、通水口の上流側であって、且つ、通水口が設けられた側面に沿う位置に遮水部が設けられている。このようにすると、通水口の上流側において、通水口の開口方向と交差する方向（側面に沿う方向）の流れを遮水部によって方向転換させることができる。これにより、通水口から開口方向と異なる方向に流出する成分を少なくすることができるので、通水口の下方に設けられた水受け部の外側へ水がこぼれにくい。
【０００８】
本発明において、前記遮水部は、前記側面から前記水路の内側へ向かって突出する凸部であることが好ましい。このように、遮水部を水路の側面と一体にすれば、遮水部を簡単な構造にすることができる。また、遮水部を水路の側面と一体にすることにより、側面に沿って通水口へ向かう流れを効果的に遮ることができる。
【０００９】
本発明において、前記凸部は、前記通水口の開口縁に設けられていることが好ましい。このようにすると、通水口の直前で通水口の開口方向と交差する方向（側面に沿う方向）の流れを遮ることができる。従って、通水口から開口方向と異なる方向に流出する成分を効果的に低減させることができる。
【００１０】
本発明において、前記凸部は、前記通水口が位置する側を向く第１面と、前記通水口が位置する側とは反対側を向く第２面を備え、前記第１面は、前記通水口の開口縁に接続され前記側面に対して略垂直であり、前記第２面は、前記側面に対して鈍角をなす傾斜面であることが好ましい。このように、第２面を傾斜面にすることで、上流側からの流れが第２面にぶつかることによる水はねを抑制でき、水路から水がこぼれることを防止あるいは抑制できる。また、側面と第２面との間に水が残って結氷することを防止あるいは抑制できる。さらに、第１面により、通水口の直前で水が開口方向へ流れるようにガイドできる。従って、通水口から開口方向と異なる方向に流出する成分を低減させることができる。
【００１１】
本発明において、前記水路は、前記通水口に対して前記遮水部とは反対側へ拡がる緩衝領域を備えることが好ましい。このようにすると、通水口に対して遮水部とは反対側で発生する水はねを抑制でき、水路から水がこぼれることを防止あるいは抑制できる。
【００１２】
本発明において、前記水路の底面は、前記通水口へ向かうに従って下降する傾斜面を備えることが好ましい。このようにすると、水路の水を通水口へ集めることができる。従って、水路に水が残って結氷してしまうことを防止あるいは抑制できる。
【００１３】
本発明において、前記フレーム部分は、前記通水口の開口縁から前記水路の外側へ突出するガイド板を備えることが好ましい。このようにすると、通水口を通過する水が通水口の開口方向と異なる方向へ拡がらないようにガイドできる。従って、水受け部の外側へ水がこぼれにくい。
【００１４】
本発明において、前記ガイド板は、前記通水口に対して前記遮水部とは反対側に位置することが好ましい。このようにすると、通水口から開口方向と異なる方向へ水が流出しやすい側にガイド板を設けることができる。従って、水受け部の外側へ水がこぼれにくい。
【００１５】
本発明において、前記ガイド板は、前記通水口に対して前記遮水部とは反対側に位置する第１ガイド板と、前記通水口に対して前記遮水部と同じ側に位置する第２ガイド板と、を備え、前記第１ガイド板は、前記第２ガイド板より前記開口縁からの突出寸法が大きいことが好ましい。このようにすると、通水口を通過する水を通水口の両側でガイドできる。従って、水受け部の外側へ水がこぼれにくい。また、開口方向と異なる方向へ水が流出しやすい側のガイド板（第１ガイド板）の突出寸法を大きくすることにより、水受け部の
外側へ水がこぼれることを効果的に抑制できる。また、もう一方のガイド板（第１ガイド板）の突出寸法を小さくすることにより、ガイド板と製氷皿との干渉を回避できる。
【００１６】
本発明において、前記通水口は、前記水路の底面に設けられた第１通水口部分と、前記側面に設けられ前記第１通水口部分と繋がる第２通水口部分と、を備え、前記ガイド板は、前記第２通水口部分の開口縁に沿って上下方向に延びており、且つ、前記第１通水口部分の開口縁から下方に突出して当該通水口を通過する水を前記水受け部に案内する案内板と繋がっていることが好ましい。このようにすると、通水口を通過する水を通水口の下方でガイドできるため、水受け部の外側へ水がこぼれることを抑制できる。
【００１７】
本発明において、前記製氷皿は、前記製氷皿を前記貯水位置に配置したときに、前記貯水用凹部の開口を囲んで上方に延びる周壁部と、前記周壁部の周方向の一部分に設けた切欠き部と、を備え、前記水受け部は、前記製氷皿を前記貯水位置に配置したときに、前記周壁部における前記切欠き部の下側の縁部分から外側に突出して前記フレーム部分と対向する底部と、前記壁部の周方向における前記切欠き部の一方側の縁部分および他方側の縁部分からそれぞれ外側に突出して下端が前記底部に連続する一対の側板部と、前記底部の先端部分および前記一対の側板部の先端部分を連続させる端板部と、を備え、前記製氷皿を前記貯水位置に配置したときに、前記案内板の下端は前記一対の側板部の上端よりも下方に位置することが望ましい。このようにすれば、通水口を通過して水受け部に注がれる水が、水受け部から外に飛散することを防止或いは抑制できる。
【００１８】
本発明において、前記駆動部は、前記製氷皿の前記軸線方向の一方側に連結されており、前記水受け部は、前記製氷皿部分における前記軸線方向の他方側の部分から外側に突出することが望ましい。このようにすれば、水受け部に注がれた水が飛散した場合でも、駆動部にかかることを防止あるいは抑制できる。
【００１９】
本発明において、前記製氷皿は、可撓性材料からなり、前記フレームは、前記製氷皿が前記第１回転方向に回転して前記氷離脱位置に達したときに当該第１回転方向の前方から前記水受け部に当接して当該第１回転方向に駆動されている前記製氷皿の回転を阻止する当接部を備えることが望ましい。このようにすれば、水受け部と当接部とが当接して製氷皿の回転を阻止したときに製氷皿に捻りが発生する。従って、氷離脱位置に達した時に氷が製氷皿から離脱しやすい。
【発明の効果】
【００２０】
本発明によれば、給水パイプからの水は、フレームに設けられた水路へ注がれ、水路の側面に設けられた通水口を通過して、製氷皿から外側に突出する水受け部に注がれ、水受け部から貯水用凹部に流入する。従って、給水パイプの給水口を製氷皿の外側に位置させることができ、給水パイプを製氷皿と干渉させないようにすることができる。また、通水口は水路の側面に設けられ、フレームには、通水口の上流側であって、且つ、通水口が設けられた側面に沿う位置に遮水部が設けられている。このようにすると、通水口の上流側において、通水口の開口方向と交差する方向（側面に沿う方向）の流れを遮水部によって方向転換させることができる。これにより、通水口から開口方向と異なる方向に流出する成分を少なくすることができるので、通水口の下方に設けられた水受け部の外側へ水がこぼれにくい。
【図面の簡単な説明】
【００２１】
【図１】本発明を適用した製氷機を上方から見た場合の斜視図である。
【図２】製氷皿が貯水位置にある製氷機を下方から見た場合の斜視図である。
【図３】製氷皿が氷離脱位置にある製氷機を下方から見た場合の斜視図である。
【図４】製氷機の平面図である。
【図５】製氷機の分解斜視図である。
【図６】製氷皿の斜視図である。
【図７】フレームの水路および製氷皿の水受け部の周辺の部分拡大図である。
【図８】フレームの第１水路部分の周辺の部分断面図である。
【図９】製氷皿が貯水位置にある状態の製氷機の断面図である。
【図１０】製氷皿が氷離脱位置にある状態の製氷機の断面図である。
【発明を実施するための形態】
【００２２】
以下に図面を参照して、本発明の実施の形態の製氷機を説明する。
（全体構成）
図１は本発明を適用した製氷機を上方から見た場合の斜視図である。図２は図１の製氷機を下方から見た場合の斜視図である。図１、図２では製氷機の製氷皿は貯水位置にある。図３は製氷皿が氷離脱位置にある状態を下方から見た場合の斜視図である。図４は製氷機の平面図である。図５は製氷機の分解斜視図である。
【００２３】
製氷機１は冷蔵庫に搭載されるものである。図１に示すように、製氷機１は、製氷皿５と、製氷皿５を反転させる駆動部６と、製氷皿５および駆動部６を支持するフレーム７とを有する。製氷皿５は、その平面形状が略長方形である。製氷皿５は給水パイプ２から供給される水を貯留する複数の貯水用凹部９を備える。駆動部６は、製氷皿５を、当該製氷皿５の短手方向の中央部分を長手方向に通過する軸線Ｌ回りに反転させる。駆動部６は、その出力軸１０（図５参照）が製氷皿５の軸線Ｌ方向の一方側の端部分に連結されている。駆動部６の駆動により、製氷皿５は、貯水用凹部９が上方を向く貯水位置５Ａと、貯水用凹部９が下方を向く氷離脱位置５Ｂとの間を回転する。図１、図２は製氷皿５が貯水位置５Ａに配置されている状態である。図３は製氷皿５が氷離脱位置５Ｂに配置されている状態である。
【００２４】
製氷機１は、図１、図２に示すように、製氷皿５を貯水位置５Ａに配置して給水パイプ２から供給される水を製氷皿５の貯水用凹部９に貯留して、製氷を行う。製氷が完了すると、図３に示すように、製氷機１は、駆動部６を駆動して製氷皿５を貯水位置５Ａから氷離脱位置５Ｂに回転させ、製氷皿５の氷を製氷機１の下方に配置した貯氷容器（不図示）へ落下させる。
【００２５】
以下の説明では、互いに直交する３方向をＸ方向、Ｙ方向、Ｚ方向とする。Ｘ方向は軸線Ｌ方向である。Ｚ方向は製氷機１の設置姿勢（図１に示す姿勢）における上下方向である。Ｙ方向は、軸線Ｌ方向および上下方向と直交する方向である。また、Ｘ方向において、駆動部６が位置する側をＸ１方向とし、製氷皿５が位置する側をＸ２方向とする。Ｚ方向において、上方をＺ１方向、下方をＺ２方向とする。また、Ｙ方向において、製氷皿５が軸線Ｌ回りを貯水位置５Ａから氷離脱位置５Ｂに向かうＣＣＷ方向（第１回転方向）に回転する際に、貯水用凹部９の開口が向く方向をＹ１方向とし、その反対側をＹ２方向とする。
【００２６】
（製氷皿）
図６（ａ）は製氷皿５をＺ１方向から見た場合の斜視図であり、図６（ｂ）は製氷皿５をＺ２方向から見た場合の斜視図である。製氷皿５は弾性変形可能な材料からなる。本形態では製氷皿５は樹脂材料からなる。図６に示すように、製氷皿５は、Ｘ１方向に位置する第１壁部１５と、Ｘ２方向に位置する第２壁部１６と、を備える。図６（ｂ）に示すように、第１壁部１５には駆動部６の出力軸１０に連結される連結部１７が設けられている。図６（ａ）に示すように、第２壁部１６には、連結部１７と同軸に、軸部１８が設けられている。軸部１８は第２壁部１６からＸ２方向に突出する。第１壁部１５と第２壁部１６との間には複数の貯水用凹部９が配置されている。貯水用凹部９は、Ｙ方向に並ぶ２つ
の貯水用凹部９が組になってＸ方向に５列配置されている。
【００２７】
また、製氷皿５は、製氷皿５を貯水位置５Ａに配置したときに、複数の貯水用凹部９の開口を囲んで上方に延びる枠状の周壁部２０を備える。周壁部２０は、複数の貯水用凹部９のＹ１方向の側でＸ方向に延びる第１周壁部分２１と、複数の貯水用凹部９のＹ２方向の側でＸ方向に延びる第２周壁部分２２と、Ｙ方向に延びて第１周壁部分２１および第２周壁部分２２のＸ１方向の端部分を接続する第３周壁部分２３と、Ｙ方向に延びて第１周壁部分２１および第２周壁部分２２のＸ２方向の端部分を接続する第４周壁部分２４とを備える。第１周壁部分２１と第２周壁部分２２とはＹ方向で対向し、第３周壁部分２３と第４周壁部分２４とはＸ方向で対向する。また、第４周壁部分２４は、軸部１８よりもＹ１方向に位置する側に切欠き部２５を備える。切欠き部２５は、矩形であり、第４周壁部分２４の上端縁からＺ２方向（下方）に向かって延びている。
【００２８】
さらに、製氷皿５は、第４周壁部分２４からＸ方向（軸線Ｌ方向）のＸ２方向に突出する水受け部２６を備える。水受け部２６は軸部１８よりもＹ１方向に位置する。水受け部２６は、第４周壁部分２４における切欠き部２５のＺ２方向（下方）の縁部分から外側に突出する底部２８と、第４周壁部分２４における切欠き部２５のＹ１方向の縁部分およびＹ２方向の縁部分からそれぞれ外側に突出して下端が底部２８に連続する一対の側板部２９、３０と、底部２８の先端部分および一対の側板部２９、３０の先端部分を連続させる端板部３１と、を備える。底部２８は、端板部３１の側から周壁部２０の側（切欠き部２５の側）に向かって下方に傾斜する上面２８ａを備える。また、端板部３１は、底部２８に向かって周壁部２０の側（切欠き部２５の側）に傾斜している。水受け部２６は、切欠き部２５を介して周壁部２０の内側に位置する複数の貯水用凹部９に連通している。
【００２９】
ここで、水受け部２６は、製氷皿５において、軸部１８よりもＹ１方向に位置する部分に設けられている。軸部１８よりもＹ１方向に位置する部分は、製氷皿５が貯水位置５Ａから氷離脱位置５Ｂへ向かうＣＣＷ方向へ回転を開始するときに、Ｚ２方向（下方）に移動する製氷皿部分である。
【００３０】
図２に示すように、製氷皿５において、Ｚ２方向の下面５ａには、貯水用凹部９の形状が反映された凸部が配列されている。製氷皿５の下面５ａには、製氷皿５の温度を検知するサーミスタ（図示省略）が配置されている。サーミスタは、製氷皿５の下面５ａに固定されたカバー３６で覆われている。
【００３１】
（駆動部）
図５に示すように、駆動部６は、直方体状に成形されたケース４１を備える。ケース４１には、駆動源となるモータ（不図示）と、モータの回転力を伝達する回転伝達機構（不図示）と、回転伝達機構によりモータの回転力が伝達されるカム歯車３３とが収納されている。カム歯車３３には、出力軸１０が一体成形されている。出力軸１０は、ケース４１のＸ２方向の端板４２に設けられた穴４３からケース４１の外方に突出する。出力軸１０は製氷皿５の第１壁部１５に設けられた連結部１７に連結される。出力軸１０は、製氷皿５を貯水位置５Ａから氷離脱位置５Ｂに回転させる際には、軸線Ｌを中心に時計回りＣＣＷの方向に回転する。また、出力軸１０は、製氷皿５を氷離脱位置５Ｂから貯水位置５Ａに戻す際には、反時計回りＣＷの方向に回転する。
【００３２】
製氷皿５に対してＹ１方向で隣り合う位置には、検氷レバー８が配置されている。なお、駆動部６のケース４１内には、カム歯車３３の回転角度に応じてカム歯車３３と連動して検氷レバー８を軸線Ｌ回りに回転させる動作させる検氷機構や、サーミスタからの信号に基づいて動作するスイッチ機構等が構成されている。
【００３３】
（フレーム）
図１から図３に示すように、フレーム７は、製氷皿５および駆動部６のＹ１方向の側でＸ方向に延びる第１側板部４５と、製氷皿５および駆動部６のＹ２方向の側で第１側板部４５と平行に延びる第２側板部４６とを備える。第１側板部４５と製氷皿５との間には検氷レバー８が位置する。また、フレーム７は、Ｙ方向に延びて第１側板部４５および第２側板部４６のＸ１方向の端を接続する端板部４７と、Ｙ方向に延びて第１側板部４５および第２側板部４６のＸ２方向の端を接続する壁部４８と、を備える。壁部４８は、板状の複数のリブが互いに連結された多孔性の壁である。壁部４８の中央には、製氷皿５の軸部１８を回転可能に支持する軸穴４９が設けられている。
【００３４】
さらに、フレーム７は、図１、図４に示すように、端板部４７の上端からＸ２方向に張り出して駆動部６の上方で第１側板部４５と第２側板部４６との間を部分的に接続する矩形の支持部５０を備える。駆動部６は支持部５０に支持されている。
【００３５】
また、フレーム７は、第１側板部４５の上端から第２側板部４６に向けて張り出す第１上板部５１を備える。第１上板部５１は、支持部５０のＹ１方向の側の端部分と壁部４８の上端のＹ１方向の側の端部分とを接続する。第１上板部５１には、検氷レバー８の上端部が内側に位置する開口部５１ａが形成されている。さらに、フレーム７は第２側板部４６の上端から第１側板部４５に向けて張り出す第２上板部５２を備える。第２上板部５２は、支持部５０のＹ２方向の側の端部分と壁部４８の上端のＹ２方向の側の端部分とを接続する。また、フレーム７は、壁部４８の上側（Ｚ１方向の側）に水路構成部５５を備える。水路構成部５５は、壁部４８からＸ１方向に張り出してＹ方向に延びる張出部分５５ａと、張出部分５５ａのＹ方向の略中央において壁部４８からＸ２方向に突出する突出部分５５ｂとを備える。
【００３６】
ここで、図４に示すように、製氷皿５の上方には、支持部５０、第１上板部５１、第２上板部５２および水路構成部５５によって略矩形の開口部５７が区画されている。かかる開口部５７が形成されていることにより、製氷皿５が貯水位置５Ａと氷離脱位置５Ｂとの間で反転する際に、上方に移動する製氷皿５の周壁部２０の上端部分（第２周壁部分２２の上端部分、第３周壁部分２３のＹ２方向の側の上端部分、および、第４周壁部分２４のＹ２方向の側の上端部分）がフレーム７と干渉することが回避される。
【００３７】
（水路）
フレーム７には、水路構成部５５の上面に、給水パイプ２から供給される水を流通させる水路６０が設けられている。水路６０は凹溝であり、上方が開放状態となっている。水路６０は、壁部４８に沿ってＹ方向（軸線Ｌと交差する方向）に延びる第１水路部分６１と、第１水路部分６１のＹ方向の略中央から突出部分５５ｂに沿ってＸ２方向に延びる第２水路部分６２を備える。第１水路部分６１はＺ方向から見た場合に張出部分５５ａおよび壁部４８と重なる。従って、張出部分５５ａはその上面に水路６０を備えている。
【００３８】
図１、図４に示すように、給水パイプ２の給水口２ａは、第２水路部分６２に位置している。第２水路部分６２の底面６２ａは、第１水路部分６１の側に向かって（Ｘ１方向に向かって）下方に傾斜する。給水口２ａから第２水路部分６２に注がれた水は、第１水路部分６１へ流入し、第１水路部分６１に設けられた通水口６４から下方の水受け部２６へ注がれる。
【００３９】
図７はフレーム７の水路６０および製氷皿５の水受け部２６の周辺の部分拡大図である。また、図８はフレーム７の第１水路部分６１の周辺の部分断面図である。図４、図８に示すように、通水口６４は、第１水路部分６１のＹ１方向の端寄りであって、且つ、Ｘ１方向の端に位置する。図８に示すように、第１水路部分６１の底面６１ａは、通水口６４
のＸ２方向側の部分が一段凹んだ矩形の凹部６１１となっている。凹部６１１の底面６１１ａは通水口６４の側（Ｘ１方向）へ向かうに従って下方に傾斜している。第１水路部分６１は、凹部６１１と、凹部６１１に対してＹ２方向側の第１上流側領域６１２と、凹部６１１に対してＸ２方向側の第２上流側領域６１３と、凹部６１１に対してＹ１方向側の緩衝領域６１４とを備える。
【００４０】
第１上流側領域６１２の底面６１２ａは、凹部６１１のＹ２方向の端縁に向かって下方へ傾斜している。また、第２上流側領域６１３の底面６１３ａは、凹部６１１のＸ２方向の端縁に向かって下方へ傾斜し、緩衝領域６１４の底面６１４ａは、凹部６１１のＹ１方向の端縁に向かって下方へ傾斜している。第２水路部分６２から第１水路部分６１へ流入した水は、第１上流側領域６１２では主にＹ１方向へ向かって流れ、第２上流側領域６１３では主にＸ１方向へ向かって流れて凹部６１１へ流入する。また、凹部６１１および第２水路部分６２へ流入した水の一部は緩衝領域６１４へ回り込む。緩衝領域６１４へ回り込んだ水はＹ２方向へ戻り、凹部６１１へ流入する。このように、第１水路部分６１の水は、第１上流側領域６１２、第２上流側領域６１３、および緩衝領域６１４からそれぞれ凹部６１１へ向かって流れて、通水口６４へ集まる。
【００４１】
水路構成部５５は、張出部分５５ａおよび突出部分５５ｂの外周縁に沿って延在する周壁５６を備えており、周壁５６の内側が上方に開口する水路６０である。第１水路部分６１のＸ１方向の側面６１ｂは、張出部分５５ａのＸ１方向の縁に沿ってＹ方向に延在する周壁部分によって構成されている。図８に示すように、通水口６４は、第１水路部分６１の側面６１ｂと底面６１ａとが繋がる角部に設けられている。通水口６４は、底面６１ａのＸ１方向の端に設けられた第１通水口部分６４ａと、側面６１ｂの下端に設けられた第２通水口部分６４ｂとを備える。通水口６４は、第１通水口部分６４ａと第２通水口部分６４ｂとが繋がった開口である。
【００４２】
（遮水部）
上記のように、第１水路部分６１の第１上流側領域６１２では、第２水路部分６２から流入した水は、通水口６４が位置する側（Ｙ１方向）へ向かって流れる。すなわち、通水口６４が位置する側（Ｙ１方向）が第１上流側領域６１２の下流側であり、通水口６４が位置する側とは反対側（Ｙ２方向）が第１上流側領域６１２の上流側である。水路構成部５５には、第１水路部分６１の側面６１ｂに沿って通水口６４へ向かう水流を通水口６４の上流側（Ｙ２方向）で遮る遮水部が設けられている。遮水部は、通水口６４に対して上流側（Ｙ２方向）の位置であって、且つ、側面６１ｂに沿う位置に設けられている。側面６１ｂに沿う水流は、通水口６４の開口方向（Ｘ１方向）と交差する方向の水流である。従って、遮水部を設けることにより、通水口６４から流出する水は、開口方向（Ｘ１方向）と異なる方向へ流出する成分が減少する。従って、水受け部２６の外側へ水がこぼれにくくなる。
【００４３】
本形態では、遮水部として、第１水路部分６１のＸ１方向の側面６１ｂから第１水路部分６１の内側（Ｘ２方向）へ突出する凸部５８が設けられている。凸部５８は、第２通水口部分６４ｂのＹ２方向の開口縁に設けられている。凸部５８は、通水口６４が位置する側（Ｙ１方向）を向く第１面５８ａと、通水口６４が位置する側とは反対側（Ｙ２方向）を向く第２面５８ｂとを備える。Ｚ方向から見た凸部５８の平面形状は略直角三角形であり、第１面５８ａは、第２通水口部分６４ｂの開口縁に接続され側面６１ｂに対して略垂直な面である。一方、第２面５８ｂは、側面６１ｂに対して鈍角をなす傾斜面である。第２面５８ｂは、側面６１ｂから離間するに従って通水口６４が位置する側へ向かう方向へ傾斜する。図８に示すように、側面６１ｂに沿ってＹ１方向へ向かう水Ｗは第２面５８ｂに沿う方向に方向転換される。これにより、通水口６４の開口方向であるＸ１方向と交差する方向の流れが第１上流側領域６１２から直接通水口６４へ到達しなくなる。
【００４４】
図７に示すように、水路構成部５５の張出部分５５ａの下面における第１通水口部分６４ａの開口縁には、通水口６４を通過する水を案内する第１案内板６５、第２案内板６６、および第３案内板６７が設けられている。第１案内板６５は、第１通水口部分６４ａのＸ２方向の開口縁部分から下側に向かってＸ１方向に傾斜する。第２案内板６６は、第１通水口部分６４ａのＹ１方向の開口縁部分から下側に向かって延びて第１案内板６５のＹ１方向の端縁に連続する。第３案内板６７は、第１通水口部分６４ａのＹ２方向の開口縁部分から下側に向かって延びて第１案内板６５のＹ２方向の端縁に連続する。
【００４５】
また、水路構成部５５の張出部分５５ａのＸ１方向の側面における第２通水口部分６４ｂの開口縁には、通水口６４を通過する水を案内する第１ガイド板６８および第２ガイド板６９が設けられている。第１ガイド板６８は、第２通水口部分６４ｂのＹ１方向の端縁からＸ１方向へ突出しており、第２通水口部分６４ｂよりも下方へ延びて第２案内板６６のＸ１方向の縁と繋がっている。また、第２ガイド板６９は、第２通水口部分６４ｂのＹ２方向の端縁からＸ１方向へ突出しており、第２通水口部分６４ｂよりも下方へ延びて第３案内板６７のＸ１方向の縁と繋がっている。第１ガイド板６８および第２ガイド板６９の上端は、第２通水口部分６４ｂより上方まで延びている。
【００４６】
第２通水口部分６４ｂに対してＹ１方向（すなわち、遮水部である凸部５８とは反対側）に位置する第１ガイド板６８は、第２通水口部分６４ｂに対してＹ２方向（すなわち、遮水部である凸部５８と同じ側）に位置する第２ガイド板６９よりも、Ｘ１方向への突出寸法が大きい。図４、図７に示すように、第１ガイド板６８は、製氷皿５の第２壁部１６よりＸ１方向側に突出しているのに対して、第２ガイド板６９は、第２壁部１６のＸ２方向側に位置する。第１ガイド板６８の上端部分には、第２ガイド板６９と同じ突出寸法となるように切り欠いた切り欠き部６８ａが設けられている。
【００４７】
駆動部６の出力軸１０に製氷皿５の連結部１７が連結された状態で、駆動部６がフレーム７の支持部５０に支持され、製氷皿５の軸部１８が軸穴４９に挿入されると、図１から図４に示すように、駆動部６および製氷皿５はフレーム７に支持される。駆動部６および製氷皿５がフレーム７に支持されると、駆動部６が動作したときに、製氷皿５が軸線Ｌ回りに回転可能となる。
【００４８】
また、駆動部６および製氷皿５をフレーム７に支持して、製氷皿５を貯水位置５Ａに配置した場合には、図７に示すように、水路構成部５５の張出部分５５ａ（フレーム部分）は、製氷皿５の水受け部２６のＺ１方向に位置する。さらに、製氷皿５の水受け部２６（底部２８の上面２８ａ）と張出部分５５ａに設けられた通水口６４とは、Ｚ方向から見た場合に、重なる。また、フレーム７の張出部分５５ａに設けた第１案内板６５、第２案内板６６、第３案内板６７、第１ガイド板６８および第２ガイド板６９の下端は、水受け部２６の側板部２９、３０および端板部３１の上端よりも下方に位置する。
【００４９】
ここで、図２に示すように、壁部４８には、製氷皿５が軸線Ｌ周を貯水位置５ＡからＣＣＷ方向に回転して氷離脱位置５Ｂに達したときにＣＣＷ方向の前方から水受け部２６に当接する当接部７０が設けられている。当接部７０は壁部４８からＸ１方向に突出する。当接部７０には、水受け部２６の底部２８が当接する。当接部７０は、氷離脱位置５Ｂにおいて水受け部２６に当接して、ＣＣＷ方向に駆動されている製氷皿５の回転を阻止する。これにより、製氷皿５には捻りが発生する。
【００５０】
（製氷動作）
図９は、製氷皿５が貯水位置５Ａに配置された状態の製氷機１の断面図である。図９（ａ）では、製氷機１を軸線Ｌと直交して製氷皿５の水受け部２６を通過する面で切断し、
図９（ｂ）では、製氷機１を軸線Ｌと直交してフレーム７の壁部４８の当接部７０を通過する面で切断している。図１０は、製氷皿５が氷離脱位置５Ｂに配置された状態の製氷機１の断面図である。図１０（ａ）では、製氷機１を軸線Ｌと直交して製氷皿５の水受け部２６を通過する面で切断し、図１０（ｂ）では、製氷機１を軸線Ｌと直交してフレーム７の壁部４８の当接部７０を通過する面で切断している。
【００５１】
製氷動作を開始する初期状態では、図１に示すように、製氷皿５は貯水位置５Ａに配置されている。この状態で、給水パイプ２から所定量の水が供給される。図９に鎖線の矢印で示すように、給水口２ａを介して給水パイプ２からから供給された水Ｗは、水路６０の第２水路部分６２から第１水路部分６１を流れて、通水口６４に向かう。また、水は、通水口６４を通過して、その下方に位置する製氷皿５の水受け部２６に注がれる。その際、通水口６４を通過する水は、水受け部２６に注ぎ込まれる際に、第１案内板６５、第２案内板６６、第３案内板、第１ガイド板６８、および第２ガイド板６９に案内されて切欠き部２５の側に向かう。
【００５２】
次に、通水口６４から水受け部２６に注がれた水は、製氷皿５の周壁部２０の切欠き部２５を介して貯水用凹部９に流入し、貯水用凹部９に貯留される。ここで、水受け部２６において通水口６４と対向する底部２８は、切欠き部２５に向かって下方（Ｚ２方向）に傾斜する上面２８ａを備える。従って、通水口６４から水受け部２６に注がれた水は、淀みなく流れて、貯水用凹部９に貯留される。また、製氷皿５は貯水用凹部９の開口を囲んで上方に延びる周壁部２０を備えるので、水受け部２６から切欠き部２５を介して貯水用凹部９に流入する水が、製氷皿５から外に飛散することが防止される。
【００５３】
貯水用凹部９への水の充填が終了すると、給水が停止する。その後、製氷皿５内に充填された水が冷却される。製氷が完了したか否かは、製氷皿５に取り付けられたサーミスタ３５により、製氷皿５の温度が所定温度以下となったか否かで判断される。
【００５４】
製氷が完了すると、検氷レバー８により、製氷皿５の下方に設置された貯氷容器の氷量の検出が行なわれる。具体的には、検氷レバー８が駆動部６に駆動されて下降する。その際、検氷レバー８が所定位置まで下降する場合には、貯氷容器内が満氷でないと判断される。一方、所定位置まで下降する前に、検氷レバー８が貯氷容器内の氷に接触する場合には、貯氷容器内が満氷であると判断される。貯氷容器内が満氷の場合には、所定時間待機した後、再度、検氷レバー８により貯氷容器内の氷量の検出が行なわれる。
【００５５】
貯氷容器内が満氷でない場合には、製氷皿５から氷を離脱させて、貯氷容器内に落下させる。具体的には、駆動部６の駆動により出力軸１０をＣＣＷ方向に回転させて、製氷皿５を、軸線Ｌ回りでＣＣＷ方向に回転させる。
【００５６】
ここで、製氷皿５が外側に突出するように設けた水受け部２６は、製氷皿５が貯水位置５Ａから氷離脱位置５Ｂに向かうＣＣＷ方向への回転開始時に下方に移動する。すなわち、製氷皿５がＣＣＷ方向に回転するときに、水受け部２６は、その上方に位置する水路構成部５５の張出部分５５ａから離間する方向に移動する。従って、製氷皿５に設けた水受け部２６が設けた場合でも、水受け部２６がフレーム７部分と干渉することはない。
【００５７】
製氷皿５は、水平に配置された貯水位置５Ａから９０°以上の所定の回転角（例えば１２０°）まで製氷皿５が回転して氷離脱位置５Ｂに到達する。図１０（ａ）に示すように、氷離脱位置５Ｂでは、製氷皿５の周壁部２０は通水口６４の開口縁に設けられた第２ガイド板６９よりもＹ１方向側に位置するが、第２ガイド板６９のＸ１方向への突出寸法は小さいため、第２ガイド板６９と製氷皿５とは干渉しない。また、第１ガイド板６８のＸ１方向への突出寸法は第２ガイド板６９より大きいが、第１ガイド板６８の上端には切り
欠き部６８ａが設けられている。従って、第１ガイド板６８と製氷皿５は干渉せず、氷離脱位置５Ｂまで製氷皿５を回転させることができる。
【００５８】
図１０（ｂ）に示すように、氷離脱位置５Ｂでは、フレーム７の当接部７０が、製氷皿５の水受け部２６の底部２８に当接する。ここで、製氷皿５の水受け部２６が当接部７０に当接した時点では、製氷皿５は駆動部６によってＣＣＷ方向に駆動されているが、水受け部２６と当接部７０との当接によって製氷皿５が更にＣＣＷ方向に回転することが阻止される。これにより、製氷皿５には捻りが加えられて、変形する。よって、製氷皿５内の氷が貯水用凹部９から剥離し、製氷皿５から離脱して、貯氷容器に落下する。
【００５９】
しかる後に、駆動部６は、製氷皿５をＣＷ方向に回転させ、製氷皿５を貯水用凹部９が上を向く貯水位置に戻す。その後、上記の製氷動作が繰り返される。
【００６０】
（本形態の主な作用効果）
本形態の製氷機１は、給水パイプ２からの水が、フレーム７に設けられた通水口６４を通過して、製氷皿５から外側に突出する水受け部２６に注がれて、水受け部２６から貯水用凹部９に流入する。従って、給水パイプ２の給水口２ａを製氷皿５の外側に位置させることができる。これにより、給水パイプ２の給水口２ａを製氷皿５の上方で当該製氷皿５の回転領域から離間する位置に配置する必要がなくなるので、給水パイプ２を含めた製氷機１の設置スペースを上下方向で抑制できる。
【００６１】
また、給水パイプ２の給水口２ａを製氷皿５の上方に配置した場合には、給水口２ａの位置を製氷皿５が反転する際の回転領域よりも上方に必要があるので、給水口２ａと貯水用凹部９との間の距離が離間しやすい。従って、給水パイプ２の給水口２ａからの水が貯水用凹部９に注がれる際に飛散しやすく、製氷皿５において複数の貯水用凹部９の開口を囲んで上方に延びる周壁部２０を高くする必要がある。これに対して、本形態のように、給水パイプ２からの水がフレーム７に設けられた通水口６４を通過して、製氷皿５から外側に突出する水受け部２６に注がれて貯水用凹部９に流入する場合には、貯水用凹部９に注がれる水の飛散を防止或いは抑制できる。従って、周壁部２０の高さを低くすることが可能である。これにより、製氷皿５が貯水位置５Ａにあるときに、製氷皿５を上下方向Ｚで小さくできる。
【００６２】
本形態では、フレーム７に軸線Ｌ方向と交差する第１水路部分６１が設けられている。通水口６４の一部（第２通水口部分６４ｂ）は第１水路部分６１の製氷皿５側（Ｘ１方向）の側面６１ｂに設けられている。そして、フレーム７には、通水口６４の上流側（Ｙ２方向）であって、且つ、通水口６４が設けられた側面６１ｂに沿う位置に、遮水部として機能する凸部５８が設けられている。従って、通水口６４の上流側において、通水口６４の開口方向（Ｘ１方向）と交差する方向（側面６１ｂに沿う方向）の流れを凸部５８によって遮ることができ、通水口６４の開口方向と異なる方向に流れる水が通水口６４へ到達することを防止あるいは抑制できる。これにより、通水口６４から開口方向（Ｘ１方向）と異なる方向に流出する成分を少なくすることができるので、通水口６４の下方に設けられた水受け部の外側へ水がこぼれにくい。
【００６３】
本形態では、遮水部として、側面６１ｂから第１水路部分６１の内側へ向かって突出する凸部５８が設けられている。これにより、遮水部を側面６１ｂと一体に形成できるため、遮水部を単純な構造にすることができる。また、遮水部を側面６１ｂと一体にすることによって、側面６１ｂに沿って通水口６４へ向かう流れを効果的に遮ることができる。
【００６４】
本形態では、通水口６４の開口縁に凸部５８が設けられているため、通水口６４の直前で通水口６４の開口方向と交差する方向（側面６１ｂに沿う方向）の流れを遮ることがで
きる。従って、通水口６４の開口方向と異なる方向の流れを効果的に低減させることができる。
【００６５】
本形態の凸部５８は、通水口６４が位置する側を向く第１面５８ａと、通水口６４が位置する側とは反対側を向く第２面５８ｂを備え、第１面５８ａは、通水口６４の開口縁に接続され第１水路部分６１の側面６１ｂに対して略垂直である。また、第２面５８ｂは、側面６１ｂに対して鈍角をなす傾斜面である。第２面５８ｂを傾斜面にすることで、上流側からの流れが第２面５２ｂにぶつかることによる水はねを抑制でき、水路６０から水がこぼれることを防止あるいは抑制できる。また、側面６１ｂと第２面５８ｂとの間に水が残って結氷することを防止あるいは抑制できる。さらに、第１面５８ａにより、通水口６４の直前で水が開口方向へ流れるようにガイドできる。従って、通水口６４から開口方向と異なる方向に流出する成分を低減させることができる。
【００６６】
本形態では、フレーム７の水路６０に、通水口６４に対して凸部５８とは反対側（Ｙ１方向側）へ拡がる緩衝領域６１４が設けられているため、通水口６４に対して凸部５８とは反対側で発生する水はねを抑制できる。従って、水路６０から水がこぼれることを防止あるいは抑制できる。
【００６７】
本形態では、第２水路部分６２の底面６２ａは第１水路部分６１の側に向かって下方に傾斜する。また、第１水路部分６１の底面６１ａは通水口６４に向かって下方に傾斜する。すなわち、第１上流側領域６１２の底面６１２ａ、第２上流側領域６１３の底面６１３ａ、緩衝領域６１４の底面６１４ａは、いずれも凹部６１１へ向かって下方へ傾斜する傾斜面であり、凹部６１１の底面６１１ａは通水口６４の側（Ｘ１方向）へ向かうに従って下方に傾斜している。従って、給水パイプ２から供給される水は淀みなく通水口６４に向かう。また、給水が停止したときに、水路６０の水を通水口６４へ集めることができる。従って、水路６０に水が残って結氷してしまうことを防止あるいは抑制できる。
【００６８】
本形態では、水路構成部５５の張出部分５５ａには、第２通水口部分６４ｂの開口縁に沿って外側（Ｘ１方向）へ突出する第１ガイド板６８および第２ガイド板６９が設けられている。このため、通水口６４から流出する水を水路６０の外側でガイドできるので、水受け部２６の外側へ水がこぼれにくい。さらに、第１ガイド板６８は、通水口６４に対して凸部５８（遮水部）とは反対側に位置し、通水口６４から開口方向と異なる方向へ水が流出しやすい側に設けられている。加えて、水が流出しやすい側に設けられた第１ガイド板６８の突出寸法が第２ガイド板６９の突出寸法より大きい。これにより、水受け部２６の外側へ水がこぼれにくくする効果が高められる。また、第１ガイド板６８の上端部分には切り欠き部６８ａが設けられているので、製氷皿５と第１ガイド板６８との干渉を回避できる。
【００６９】
本形態では、さらに、水路構成部５５の張出部分５５ａには、通水口６４の開口縁からＺ２方向（下方）に突出する第１案内板６５、第２案内板６６、第３案内板６７が設けられている。従って、通水口６４を通過する水は、水受け部２６に注ぎ込まれる際に、第１案内板６５に案内されて切欠き部２５の側に向かう。また、通水口６４を通過する水は、第２案内板６６および第１ガイド板６８、および、第３案内板６７および第２ガイド板６９により案内されるので、通水口６４を通過した水がＹ方向に飛散することが防止或いは抑制される。さらに、図７に示すように、製氷皿５の水受け部２６と張出部分５５ａに設けた通水口６４とはＺ方向から見た場合に重なっており、フレーム７の張出部分５５ａに設けた第１案内板６５、第２案内板６６、第３案内板６７、第１ガイド板６８および第２ガイド板６９の下端は、水受け部２６の側板部２９、３０および端板部３１の上端よりも下方に位置する。よって、通水口６４を通過した水を、確実に水受け部２６に注ぐことができる
【００７０】
本形態では、水受け部２６は、製氷皿５から軸線Ｌに沿った方向に突出している。従って、水受け部２６が製氷皿５から軸線Ｌと直交する方向に突出する場合と比較して、製氷皿５が反転する際の回転領域を小さくすることができる。よって、製氷機１が軸線Ｌと直交する方向に大型化することを抑制できる。
【００７１】
本形態では、駆動部６は、製氷皿５の軸線Ｌ方向の一方側に連結されており、水受け部２６は、製氷皿５における軸線Ｌ方向の他方側の部分から外側に突出する。よって、水受け部２６に注がれた水が飛散した場合でも、駆動部６にかかることを防止あるいは抑制できる。
【００７２】
本形態では、製氷皿５は、可撓性材料からなり、フレーム７は、製氷皿５が貯水位置５Ａから氷離脱位置５Ｂに向かうＣＣＷ方向の前方から水受け部２６に当接する当接部７０を備える。これにより、水受け部２６を利用して製氷皿５に捻りを発生させることができるので、製氷皿５が氷離脱位置５Ｂに達した時に氷が製氷皿５から離脱しやすい。
【００７３】
（変形例）
（１）上記形態では、遮水部として機能する凸部５９を側面６１ｂと一体に形成しているが、遮水部は側面６１ｂと一体でなくてもよく、側面６１ｂに沿う位置に設けられていればよい。例えば、別部材をフレーム７に取り付けてもよいし、底面６１ａから上方へ突出する形状としてもよい。
【００７４】
（２）上記形態では、給水パイプ２は、その給水口２ａが水路６０の第２水路部分６２の上方に位置するように配置されているが、給水パイプ２を、その給水口２ａが第１水路部分６１の上方に位置するように配置してもよい。この場合には、第２水路部分６２を省略できる。また、給水パイプ２の設置の自由度が向上する。
【００７５】
（３）水受け部２６は、製氷皿５の周壁部２０の第１周壁部分２１から軸線Ｌと直交する方向に突出するように設けることもできる。この場合には、周壁部２０の第１周壁部分２１に切欠き部２５を設け、切欠き部２５を介して水受け部２６と貯水用凹部９とを連通させる。また、製氷皿５を貯水位置５Ａに配置したときに、第１上板部５１において、Ｚ方向から見た場合に水受け部２６と重なる位置に通水口６４を設けるとともに、通水口６４を設けた位置まで、水路６０を第１上板部５１に沿ってＸ方向に延設する。
【符号の説明】
【００７６】
１…製氷機、２…給水パイプ、２ａ…給水口、５…製氷皿、５ａ…下面、５Ａ…貯水位置、５Ｂ…氷離脱位置、６…駆動部、７…フレーム、８…検氷レバー、９…貯水用凹部、１０…駆動部の出力軸、１５…第１壁部、１６…第２壁部、１７…連結部、１８…軸部、２０…周壁部、２１…第１周壁部分、２２…第２周壁部分、２３…第３周壁部分、２４…第４周壁部分、２５…切欠き部、２６…水受け部、２８…底部、２８ａ…底部の上面、２９、３０…側板部、３１…端板部、３３…カム歯車、３６…カバー、４１…ケース、４２…端板、４３…穴、４５…フレームの第１側板部、４６…フレームの第２側板部、４７…フレームの端板部、４８…フレームの壁部、４９…軸穴、５０…支持部、５１ａ…開口部、５１…第１上板部、５２…第２上板部、５５…水路構成部、５５ａ…張出部分（フレーム部分）、５５ｂ…突出部分、５６…周壁、５７…開口部、５８…凸部（遮水部）、５８ａ…第１面、５８ｂ…第２面、６０…水路、６１…第１水路部分、６１ａ…第１水路部分の底面、６１ｂ…第１水路部分の側面、６２…第２水路部分、６２ａ…第２水路部分の底面、６４…通水口、６４ａ…第１通水口部分、６４ｂ…第２通水口部分、６５…第１案内板、６６…第２案内板、６７…第３案内板、６８…第１ガイド板、６８ａ…切り欠き部、６９…第２ガイド板、７０…当接部、６１１…凹部、６１１ａ…凹部の底面、６１２…第１
上流側領域、６１２ａ…第１上流側領域の底面、６１３…第２上流側領域、６１３ａ…第２上流側領域の底面、６１４…緩衝領域、６１４ａ…緩衝領域の底面、Ｌ…軸線
【図１】
2020046151.tif 000003
【図２】
2020046151.tif 000004
【図３】
2020046151.tif 000005
【図４】
2020046151.tif 000006
【図５】
2020046151.tif 000007
【図６】
2020046151.tif 000008
【図７】
2020046151.tif 000009
【図８】
2020046151.tif 000010
【図９】
2020046151.tif 000011
【図１０】
2020046151.tif 000012